(57)【特許請求の範囲】
【請求項１】
可撓性を有するヘッドバンドと、音声を出力するためのスピーカ部とを備えたヘッドホンにおいて、
上記スピーカ部が取り付けられ、上記ヘッドバンドの端部にスライド可能に取り付けられたスライド部と、
上記スライド部を収納位置の方向に付勢する付勢手段とを備え、
上記付勢手段が左右の上記スライド部を繋ぐ単一の手段で、装着時の装着動作で上記スライド部が上記付勢手段の付勢力に抗してスライドすることを特徴とするヘッドホン。
【請求項２】
左右の上記スピーカ部を接続する配線を備え、
上記配線が上記スピーカ部の間で少なくとも一回転巻かれていることを特徴とする請求項１記載のヘッドホン。
【発明の詳細な説明】
【０００１】
【産業上の利用分野】
本発明は、ヘッドホンに関する。詳しくは、ヘッドバンドを伸縮させることにより装着時の外観を向上させると共に小型化が可能なヘッドホンに係る。
【０００２】
【従来の技術】
従来、使用者の異なる頭のサイズに適応可能な長さ調節（フリーアジャスター）機能を有するヘッドホンが知られている。図１７に示すように、従来のヘッドホン１０は中空に成形された円弧状のヘッドバンド１とその左右両端に取り付けられたスピーカ部２，２とから構成される。ヘッドバンド１の内部に蛇腹部３が配され、この蛇腹部３の左右両端は１本の当接バンド４に繋げられている。当接バンド４の中央には使用者の頭頂部に当接する当接部５が設けられている。非装着時には、矢印で示す方向の蛇腹部３の付勢力によって、当接バンド４はヘッドバンド１の左右両端から水平に張り渡された状態となっている。
【０００３】
このヘッドホン１０を装着するときは、図１８に示すように頭頂部を当接部５の下側に当て当接バンド４を上方に押し込みながら、頭をヘッドバンド１の円弧に入れる。これによって、スピーカ部２，２を耳に密着させることができる。このとき、蛇腹部３の付勢力によって矢印Ｆで示す方向、すなわち当接部５は下方に付勢されて使用者の頭頂部に密着し、スピーカ部２，２が内側方向に付勢されてそれぞれ使用者の耳に密着する。これにより、ヘッドホン１０が使用者の頭に安定よく装着される。
【０００４】
【発明が解決しようとする課題】
しかし、図１８に示す従来のヘッドホン１０のヘッドバンド１の円弧の径は、想定される使用者の頭の大きさのうち最大寸法に設定されているのが普通である。これは、頭の大きい使用者が装着できなくなるのを避けるためである。従って、同図に示すように比較的頭の小さい（例えば、子供等）が装着した場合、頭頂部とヘッドバンド１との間に隙間Ｌが生じてしまい、外観上見苦しいという問題があった。
【０００５】
また、同じ理由により、ヘッドバンド１の円弧の全長は想定される使用者の頭のサイズのうち最大長に設定されているのが普通である。従って、ヘッドホン１０の大きさが大型化して、保管や持ち運び時の取り扱いが不便になるという問題があった。
【０００６】
そこで、本発明は、装着時の外観を向上させると共に小型化が可能なヘッドホンを提案するものである。
【０００７】
【課題を解決するための手段】
上述の課題を解決するため、本発明においては、可撓性を有するヘッドバンドと、音声を出力するためのスピーカ部とを備えたヘッドホンにおいて、スピーカ部が取り付けられ、ヘッドバンドの端部にスライド可能に取り付けられたスライド部と、スライド部を収納位置の方向に付勢する付勢手段とを備え、付勢手段が左右のスライド部を繋ぐ単一の手段で、装着時の装着動作でスライド部が付勢手段の付勢力に抗してスライドすることを特徴とするものである。
【０００８】
【作用】
本発明に係るヘッドホンを装着するときは、付勢手段の付勢力に抗して左右のスライド部が必要に応じて引き出される。これによって、ヘッドバンドが装着し易い適切な長さに伸張し、装着後は使用者の頭の大きさに応じた最適な長さとなる。従って、装着時のヘッドバンドは必要最小の長さとなるので、ヘッドバンドと使用者の頭の間に生じる隙間をなくすことができ、装着時の外観を向上させることが可能である。また、非装着時にはスライド部が収納位置に配されてヘッドバンドは常に最小の長さとなる。
【０００９】
【実施例】
続いて、本発明に係るヘッドホンの一実施例について、図面を参照して詳細に説明する。
【００１０】
図１に本発明に係る第１実施例であるヘッドホン２０の構成を示す。このヘッドホン２０は、円弧状のヘッドバンド１１と、その左右両端に取り付けられたスピーカ部１２，１２とを備えている。このヘッドバンド１１は、可撓性と復元性を有する材質で成形された円弧状の帯状体である可撓板１６を備え、この可撓板１６の左右両端にはスライド部１７，１７がスライド可能に取り付けられている。また、スライド部１７，１７の下部にはアーム２３，２３が回動自在に取り付けられ、このアーム２３，２３の先端にスピーカ部１２，１２が回動自在に取り付けられている。
【００１１】
左右のスライド部１７，１７は単一の付勢手段、本例ではバネ１３によって繋がれている。可撓板１６の両端には覆板１８，１８が被せられ、左右の覆板１８，１８の間には可撓性を有する薄板体である吸収板１９が円弧状に撓曲された状態で配置されている。また、バネ１３は可撓板１６と覆板１８，１８及び吸収板１９との間に配置されている。更に、使用者の頭部に可撓板１６が直接接しないようにクッション性を有するカバー２４が、可撓板１６、覆板１８，１８及び吸収板１９に被せられている。
【００１２】
図２に示すように、バネ１３は可撓板１６の後方寄りに配置されている。可撓板１６の前縁部、後方寄りの中央部及び後縁部には、それぞれ左右方向に沿って配列された５個の突起状の第１支持部３１、第２支持部３２及び第３支持部３３が計１５個設けられている。
【００１３】
また、５個のうち中央に配された第２支持部３２の前側には、第２支持部３２と略同形の配線支持部３４が設けられている。更に、各支持部３１，３２，３３と左右の覆板１８，１８との間には、前後方向に沿った薄板状の第１仕切部４１，４１と第２仕切部４２，４２が設けられている。第１仕切部４１の上部には吸収板１９の長溝４５，４５に挿入するための係止部４１ａ，４１ａが突設されている。また、第２仕切部４２にはバネ１３及び配線３５を通過させるための２カ所の切欠４２ａ，４２ａがそれぞれ設けられている。この配線３５は左右のスピーカ部１２，１２（図１）を接続するためのものである。
【００１４】
バネ１３は第２支持部３２と第３支持部３３と間に挟持されて、所定位置に保持される。ここで、バネ１３の中央部は、図５に示すように固定部５１によって接着固定されている。また、図２に示すように、配線３５は第１支持部３１、第２支持部３２及び第１仕切部４１，４１に囲まれたスペースで１回転巻かれ、図５に示すように第２支持部３２と配線支持部３４とによって挟持されている。
【００１５】
また、図２に示すように、覆板１８，１８の上端から弾性変形可能な板状部１８ａ，１８ａが突出形成されており、この板状部１８ａ，１８ａの先端寄りに差込溝１８ｂ，１８ｂが設けられている。一方、吸収板１９の左右両端には、幅の狭い差込部１９ａ，１９ａが形成されている。また、左右の差込部１９ａ，１９ａには左右方向に沿った長溝４５，４５がそれぞれ設けられている。この長溝４５，４５は溝幅の広い幅広部４５ａ，４５ａと溝幅の狭い幅狭部４５ｂ，４５ｂとから構成されている。更に、吸収板の前側の縁部及び後側の縁部にはそれぞれ２カ所ずつ突起部１９ｂが突出成形されている。
【００１６】
この吸収板１９は、図３に示すように差込部１９ａ，１９ａを覆板１８，１８の差込溝１８ｂ，１８ｂに挿入し、更に長溝４５，４５に第１仕切部４１の係止部４１ａ，４１ａを挿入し、前後の突起部１９ｂを第１支持部３１及び第３支持部３３の間にそれぞれ挿入することによって取り付けられている。
【００１７】
なお、係止部４１ａ，４１ａの幅は幅広部４５ａ，４５ａよりも狭く、幅狭部４５ｂ，４５ｂよりも広く設定されているので、長溝４５，４５に係止部４１ａ，４１ａを挿入するときは、まず幅広部４５ａ，４５ａに差し込んでから幅狭部４５ｂ，４５ｂの位置までスライドさせる。従って、図４に示すように係止部４１ａが幅狭部４５ｂの位置にあることによって、吸収板１９が係止される。
【００１８】
また、図５に示すように、吸収板１９の縁部が第１支持部３１及び第３支持部３３の内側に設けられた段差部３１ａ，３３ａに当接すると共に、その下面に第２支持部３２及び配線支持部３４の上端部が当接することによって、吸収板１９が所定位置に固定される。
【００１９】
このように、吸収板１９の中央部は左右方向及び上下方向に対して固定されている。一方、図３に示すように差込部１９ａ，１９ａは差込溝１８ｂ，１８ｂに挿入されているだけであり、また長溝４５，４５は左右方向に沿って長いため係止部４１ａ，４１ａは左右方向に対してはスライド自在である。従って、吸収板１９の中央部は固定されているが、左右両端の差込部１９ａ，１９ａは差込溝１８ｂ，１８ｂに対してスライドして出入自在となっている。
【００２０】
一方、スライド部１７には、図１に示すように可撓板１６と覆板１８との間に形成される開口部２１に挿入されている挿入部２２が設けられている。図６に示すように挿入部２２は、ヘッドバンド１１の曲率に対応して緩やかに湾曲している。挿入部２２の上端にはバネ取付突起５２が突設され、このバネ取付突起５２には上述のバネ１３が掛止されている。このバネ１３の付勢力によって、非装着時に左右のスライド部１７，１７は収納位置、すなわち可撓板１６の端部に接した位置に保持されている。
【００２１】
図６及び図９に示すように挿入部２２の先端には可撓板１６側に向けて案内突起５３が突設されており、これが可撓板１６に設けられた案内溝１６ａに挿入されている。図６に示すようにスライド部１７が収納位置にあるときは、案内突起５３は案内溝１６ａの上端部５４に当接し、スライド部１７が最大限引き出されたときは案内溝１６ａの下端部５５に当接する。これによって、スライド部１７のスライド動作が所定範囲に規制される。更に、図７に示すように挿入部２２の両側面には細溝２２ａ，２２ａが凹設され、ここに可撓板１６に突設された案内突起１７ｂ，１７ｂが挿入されている。これらによって、挿入部２２が所定の範囲でスムーズにスライド可能となっている。
【００２２】
さて、このヘッドホン２０を装着するときは、使用者の頭頂部をカバー２４に当接させた状態で、図８に示すようにバネ１３（図１）の付勢力に抗して左右のスライド部１７，１７の挿入部２２，２２が必要に応じて引き出される。これによって、ヘッドバンド１１が装着し易い適切な長さに伸張し、装着後はバネ１３（図１）の付勢力によって使用者の頭の大きさに応じた最適な長さとなる。従って、装着時のヘッドバンド１１は必要最小の長さとなるので、ヘッドバンド１１と使用者の頭の間に生じる隙間をなくすことができ、装着時の外観を向上させることが可能である。なお、バネ１３（図１）の強さは、装着時に使用者の耳を上方に引っ張らない程度の適度な付勢力に設定されている。また、図１に示すように非装着時にはスライド部１７，１７が収納位置に配されてヘッドバンド１１は常に最小の長さとなるので、保管や持ち運びの際に取り扱いが容易である。
【００２３】
また、図５に示すようにバネ１３の中央部が固定部５１で接着固定されているので、どちらのスピーカ部１２を引っ張っても常に均一な付勢力が作用する。従って、例えば使用者が装着しようとして片側のスピーカ部１２を引っ張り片方の耳に密着させ、そのまま他方のスピーカ部１２を他方の耳に密着させようとした場合にも、他方のスピーカ部１２を同じ力で引き出すことができ装着動作に違和感が生じることがない。このため、通常のヘッドホンと同様に自然な動作で装着することができる。
【００２４】
なお、本例ではバネ１３の中央部を固定部５１によって固定した場合を示したが、バネ１３を固定しなくとも上述のヘッドバンド１１の伸縮機能を得ることが可能である。また、本例ではバネ１３の単一の付勢手段を用いたが、左右独立した付勢手段を設けてもよい。
【００２５】
図９は、非装着時におけるヘッドホン２０の配線３５の状態を示す。上述したように、配線３５は可撓板１６の中央で１回転巻かれている。配線３５を巻いた部分の長さは、左右の挿入部２２，２２を最大限引き出した場合の配線３５が引き出される長さ以上に設定されている。従って、図１０に示すように右側の挿入部２２が引き出された場合、配線３５もそれに伴って引き出されるが、中央の１回転巻かれた部分がこの引き出し量を吸収する。これによって、配線３５が上述のヘッドバンド１１の伸縮機能を妨げることがない。
【００２６】
更に、図１１に示すように頭が小さい使用者が装着したためにヘッドバンド１１の円弧が狭められた場合には、上側の吸収板１９が下側の可撓板１６に比べて大きく曲げられるので、可撓板１６のたわみに応じて吸収板１９の差込部１９ａ，１９ａが適切な長さだけスライドして覆板１８，１８の差込孔１８ｂ，１８ｂから引き出される。一方、図１２に示すように頭の大きい使用者が装着したためにヘッドバンド１１の円弧が押し広げられたときは、上側の吸収板１９は可撓板１６に比べてたわみが少ないので、可撓板１６のたわみに応じて差込部１９ａ，１９ａが適切な長さだけスライドして差込孔１８ｂ，１８ｂに差し込まれる。
【００２７】
このように、このヘッドホン２０は図２に示すバネ１３及び配線３５を収納するため可撓板１６と覆板１８を上下に配した構造となっているが、吸収板１９の差込部１９ａ，１９ａがたわみに応じた長さをスライドして差込孔１８ｂ，１８ｂに出し入れされる。従って、使用者の頭の大きさに応じてヘッドバンド１１を柔軟に撓曲させることが可能である。
【００２８】
更に、図１３に示すように、このヘッドホン２０ではスライド部１７，１７が非装着時には常に収納位置に配されるので、ヘッドバンド１１は最小の長さとなる。更に、回動自在なアーム２３，２３によってスピーカ部１２，１２がアーム２３，２３に回動自在に取り付けられているので、スピーカ部１２，１２をヘッドバンド１１の内側に折り畳むことができる。このようにヘッドバンド１１の長さを最小にすると共に、折り畳み可能にすることによってヘッドホン２０の小型化が可能となり、保管や持ち運び時に取り扱いが容易になる。
【００２９】
図１４に、本発明によるヘッドホンの第２実施例を示す。このヘッドホン５０は、円弧状のヘッドバンド５１と、その左右両端に取り付けられたスピーカ部５２，５２とから構成されている。ヘッドバンド５１は可撓性と復元性を有する材質で成形された円弧状の帯状体である可撓板５６から構成され、この可撓板５６の左右両端にはスライド部５７，５７がスライド自在に取り付けられている。
【００３０】
図１５に示すように可撓板５６の両端には挿入孔６１が形成され、ここにスライド部５７に設けられた挿入部６２が挿入されている。また、挿入孔６１の底面には円盤状の巻付部７１が回転自在に取り付けられている。挿入部６２の上端には付勢手段であるバネ７２の一端が係止され、このバネ７２は巻付部７１に半周巻き付けられて向きを１８０度変えられてから挿入孔６１の底面に突設された固定突起７３に掛止されている。
【００３１】
このヘッドホン５０を装着するときは、図１６に示すようにスライド部５７の挿入部６２がバネ７２の付勢力に抗して必要に応じて引き出される。このとき、巻付部７１が回転することによって、バネ７１の伸張に伴う移動がスムーズに行われる。これによって、ヘッドバンド５１が装着し易い適切な長さに伸張し、装着後はバネ７２の付勢力によって使用者の頭の大きさに応じてヘッドバンド５１が常に最短の長さとなり、第１実施例と同様の効果を得ることができる。
【００３２】
このヘッドホン５０においては、図１５に示すようにバネ７２が巻付部７１に半周巻き付けられ向きが変えられていることによって、挿入孔６１の開口部から上端までの距離Ｌを短く設定した場合にも、バネ７２のバネ長を長く設定することができ、スライド部６２のスライド範囲を大きく確保できると共に、バネ７２の付勢力を小さく抑えることができる。従って、バネ７２を取り付けるためのスペースを最小に設定でき、ヘッドホン５０の小型化が可能である。
【００３３】
【発明の効果】
以上説明したように本発明は、可撓性を有するヘッドバンドと、音声を出力するためのスピーカ部とを備えたヘッドホンにおいて、スピーカ部が取り付けられ、ヘッドバンドの端部にスライド可能に取り付けられたスライド部と、スライド部を収納位置の方向に付勢する付勢手段とを備え、付勢手段が左右のスライド部を繋ぐ単一の手段で、装着時の装着動作でスライド部が付勢手段の付勢力に抗してスライドするようにしたものである。
【００３４】
従って本発明によれば、装着時にヘッドバンドが最適な長さとなるので、使用者の頭とヘッドバンドとの間に隙間がなくなり、装着時の外観が向上する。また、非装着時にはスピーカ部が常に収納位置に配置されるので、ヘッドホンの小型化が可能となり、保管や持ち運びに取り扱いが容易になる等の効果がある。
【図面の簡単な説明】
【図１】本発明に係る第１実施例であるヘッドホン２０の構成図である。
【図２】ヘッドバンド１１の構造を示す斜視図である。
【図３】吸収板１９の取付状態を示す上面図である。
【図４】図３のＡ−Ａ断面図である。
【図５】図２のＢ−Ｂ断面図である。
【図６】スライド部１７の構造を示す断面図である。
【図７】図６のＣ−Ｃ断面図である。
【図８】スライド部１７のスライド動作を示す正面図である。
【図９】非装着時の配線３５の状態を示す上面図である。
【図１０】装着時の配線３５の状態を示す上面図である。
【図１１】ヘッドバンド１１の円弧が狭められたときの吸収板１９のスライド動作を示す断面図である。
【図１２】ヘッドバンド１１の円弧が広げられたときの吸収板１９のスライド動作を示す断面図である。
【図１３】折り畳んだ状態のヘッドホン２０を示す正面図である。
【図１４】本発明に係る第２実施例であるヘッドホン５０を示す構成図である。
【図１５】非装着時のバネ７２の状態を示す断面図である。
【図１６】装着時のバネ７２の状態を示す断面図である。
【図１７】従来のヘッドホン１０を示す構成図である。
【図１８】従来のヘッドホン１０の装着状態を示す図である。
【符号の説明】
１，１１，５１  ヘッドバンド
２，１２，５２  スピーカ部
１０，２０，５０  ヘッドホン
１３，７２  バネ
１６，５６  可撓板
１７，５７  スライド部
１８  覆板
１８ａ  板状部
１８ｂ  差込孔
１９  吸収板
１９ａ  差込部
２３，６３  アーム
３５  配線
４１ａ  係止部
４５  長溝
７１  巻付部
【図１】
0003610618.tif 000002
【図２】
0003610618.tif 000003
【図３】
0003610618.tif 000004
【図４】
0003610618.tif 000005
【図５】
0003610618.tif 000006
【図６】
0003610618.tif 000007
【図７】
0003610618.tif 000008
【図８】
0003610618.tif 000009
【図９】
0003610618.tif 000010
【図１０】
0003610618.tif 000011
【図１１】
0003610618.tif 000012
【図１２】
0003610618.tif 000013
【図１３】
0003610618.tif 000014
【図１４】
0003610618.tif 000015
【図１５】
0003610618.tif 000016
【図１６】
0003610618.tif 000017
【図１７】
0003610618.tif 000018
【図１８】
0003610618.tif 000019